(57)【要約】【課題】文字（数字）が読めずに時計を理解できない子供でも予め設定された時刻の到来を知ることができる時計を提供する。【解決手段】予め設定された時刻に達した時に、少なくとも一つの眼状模様を表示する眼部表示手段１１を設け、眼部表示手段１１はアイホール部材９とプリズム３とを備え、長針４または短針５の少なくとも一方の動きに連動して眼状模様１５を表示する。このことにより、眼状模様１５はあたかも人間の目玉が動いているように見え、子供が注意を払うべき時刻になった時に眼状模様１５は子供の注意を引くことができるため、子供は時刻の到来を知ることができ、時間に対する感覚を養うことができて教育上好適である。【選択図】  図１
2006010649.tif 000002
【特許請求の範囲】
【請求項１】
予め設定された時刻に達した時に、少なくとも一つの眼状模様を表示する眼部表示手段を設けたことを特徴とする時計。
【請求項２】
前記眼部表示手段が、長針または短針の少なくとも一方の動きに基づいて前記眼状模様を形成するものであることを特徴とする請求項１記載の時計。
【請求項３】
前記眼部表示手段として、前記長針または短針の少なくとも一方に設けられた瞳部材と、前記瞳部材と重なることにより前記眼状模様を形成する貫通孔または透光部を有するアイホール部材と、を設けたことを特徴とする請求項１または２記載の時計。
【請求項４】
前記貫通孔または透光部に、単数の前記眼状模様を少なくとも一対の眼状模様として視認させるための光学的屈折手段を設けたことを特徴とする請求項３記載の時計。
【請求項５】
前記光学的屈折手段をプリズムとすることを特徴とする請求項４記載の時計。
【発明の詳細な説明】
【技術分野】
【０００１】
本発明は、壁掛け時計、置き時計、腕時計等の時計に関する。
【背景技術】
【０００２】
従来から、子供は時間を気にせずに遊んだりして、食事や勉強等を始める時間になってもその時刻に気付かずにいる場合があった。このような子供に時刻の注意を引かせるために、特許文献１には、外周枠の全面に時表示文字盤を取り付け、時表示文字盤の全面に着脱可能な接着手段を介して動作の象形図が表されている駒が、動作に関連する時表示文字の位置に接着されている時計が記載されている。
【０００３】
【特許文献１】特開２００１−６６３７９号公報
【発明の開示】
【発明が解決しようとする課題】
【０００４】
しかしながら、特許文献１記載の時計の場合、駒は、時表示文字盤に接着されているため常にその駒が視界に入り、次第に子供の注意を引かなくなる。子供は一旦時計に関心を示さなくなると、意識させたい時刻においても無関心になり、所定の時刻が到来したことを気付かせるという目的を果たすことができず、時間管理に対する子供への教育も不完全なものとなる。
【０００５】
そこで本発明の解決しようとする課題は、文字（数字）が読めずに時計を理解できない子供でも予め設定された時刻の到来を知ることができる時計を提供することにある。
【課題を解決するための手段】
【０００６】
上記課題を解決するために、本発明の時計は、予め設定された時刻に達した時に、少なくとも一つの眼状模様を表示する眼部表示手段を設けたことを特徴とする。このことにより、設定時刻以外の時刻においては眼状模様は現れず、予め設定された時刻に達した時に眼状模様を表示することができる。従って設定した時刻において、本来人間の注意力を引き付けやすい眼状模様によって子供の注意を引くことができ、文字（数字）が読めずに時計を理解できない子供でも時刻の到来を知ることができる。また、時間管理に対する感覚を養うこともできる。
【０００７】
ここで、眼部表示手段は、長針または短針の少なくとも一方の動きに基づいて眼状模様を形成するものとすることが望ましい。このことにより、予め定められた時刻の前後においては、眼状模様が時計の針の動きに合わせて一方から他方へ滑らかに移動して、あたかも人間の目玉が動いているかのように見える。従って、眼状模様に対する子供の注意力を高めることができる。
【０００８】
また、眼部表示手段として、長針または短針の少なくとも一方に設けられた瞳部材と、瞳部材と重なることにより眼状模様を形成する貫通孔または透光部を有するアイホール部材と、を設けることもできる。このことにより、時計の内部構造に改造を加えることなく眼状模様を表示することができる。また、瞳部材が比較的ゆっくりとした長針または短針の速度で移動するため、眼状模様があたかも人間の目玉が動いているかのように見え、設定時刻に対する子供の注意力を高めることができる。
【０００９】
更に、貫通孔または透光部に、単数の眼状模様を少なくとも一対の眼状模様として視認させるための光学的屈折手段を設けることが望ましい。このことにより、一つの眼状模様を光学的に二つの眼状模様として見せることができ、あたかも人間の一対の目玉のように見えるようになるため、子供の注意力を誘引する効果をさらに高めることができる。
【００１０】
ここで、光学的屈折手段をプリズムとすることができる。このことにより、簡単な器具により一つの眼状模様を二つの眼状模様に見せることができる。なお、プリズムとしては三角柱形状のプリズムあるいは平面プリズムが好適であるが、多角柱形状のプリズムを使用することもできる。
【発明の効果】
【００１１】
本発明は、以下の効果を奏する。
【００１２】
（１）予め設定された時刻に達した時に、少なくとも一つの眼状模様を表示する眼部表示手段を設けたことにより、文字（数字）が読めずに時計を理解できない子供でも予め設定された時刻の到来を知ることができる時計を理解できない子供でも時刻の到来を知ることができる。
【００１３】
（２）眼部表示手段が、長針または短針の少なくとも一方の動きに基づいて眼状模様を形成することにより、眼状模様はあたかも人間の目玉が動いているかのように見えるため、眼状模様に対する子供の注意力を高めることができる。
【００１４】
（３）眼部表示手段として、長針または短針の少なくとも一方に設けられた瞳部材と、瞳部材と重なることにより眼状模様を形成する貫通孔または透光部を有するアイホール部材とを設けたことにより、時計の内部構造に改造を加えることなく眼状模様を表示することができる。また瞳部材が比較的ゆっくりとした長針または短針の速度で移動するため、眼状模様があたかも人間の目玉が動いているかのように見え、設定時刻に対する子供の注意力を高めることができる。
【００１５】
（４）貫通孔または透光部に、単数の前記眼状模様を少なくとも一対の眼状模様として視認させるための光学的屈折手段を設けたことにより、眼状模様はあたかも人間の一対の目玉のように見えるようになるため、子供の注意力を誘引する効果をさらに高めることができる。
【００１６】
（５）光学的屈折手段をプリズムとすることにより、簡単な器具により一つの眼状模様を二つの眼状模様に見せることができる。
【発明を実施するための最良の形態】
【００１７】
以下、図面に基づいて、本発明の実施の形態である時計について説明する。図１は本発明の第１の実施の形態である時計を示す図であり、（ａ）は正面図、（ｂ）は左側面図、（ｃ）は平面図である。
【００１８】
図１に示すように、本実施形態の時計１は、文字盤２と、文字盤２の背面側に位置するムーブメント７と、ムーブメント７から突出し文字盤の全面にせりだす指針軸８と、指針軸８に固着する長針４および短針５とを備えている。文字盤２には、水平方向に突出した断面Ｌ字状のアイホール部材９が備えられ、このアイホール部材９と長針４の先端部付近に設けられている瞳部材６とが眼部表示手段１１を構成している。アイホール部材９には光学的屈折手段であるプリズム３が備えられている。
【００１９】
ここで光学的屈折手段はプリズム３を使用しているが、少なくとも一対以上の眼状模様１５を表示するものであれば他の部材も使用することができる。図１は９時００分を示しており、瞳部材６が文字盤２とアイホール部材９の間にあることを示している。アイホール部材９には貫通孔１０が設けられており、瞳部材６と貫通孔１０が予め定められた範囲内で重なることにより眼状模様１５が形成される。この眼状模様１５はプリズム３により一対の眼状模様となる。
【００２０】
また、図１（ｂ）は、説明を簡単にするために時計の針は長針４のみを示しているが、瞳部材６は長針４に限定して設けられるものではなく、短針５でも良い。その場合、後の図４に示すアイホール部材９の垂直方向面９ｂを長く形成して眼部表示手段１１を構成することで、長針４の場合と同様に瞳部材６を短針５の先端部付近に備え、眼状模様１５を表示することができる。
【００２１】
図１（ｃ）は、光学的透過手段のプリズム３が三角柱形状であることを示している。また、長針４に備えられた瞳部材６が文字盤２とアイホール部材９との間を通過することを示しており、瞳部材６がアイホール部材９の貫通孔１０を通過する時に重なることができ、眼状模様１５が形成される。
【００２２】
図２は、図１（ａ）におけるプリズム３を取り付ける前の状態を示す図であり、図３は図２の長針４の先端部付近の拡大図である。長針４の先端部付近には瞳部材６が設けられている。
【００２３】
図２の文字盤２において、「１２」の文字を覆うなどして文字が表示されておらず、文字を覆う素材が盤面と同色で明度も同等であるものが好ましい。図４に示すようにアイホール部材９の垂直方向面９ｂの貫通孔１０の周囲には長円模様１２が描かれている。図３において、瞳部材６は他の白い部材６ａを介して長針４に着脱可能に設けられているが、瞳部材６を直接長針４に設けても良い。この構造により長円模様１２と長針４に設けられた瞳部材６が重なる時に、眼状模様１５が形成される。瞳部材６は長針４の先端部付近に着脱可能に備えられており、粘着剤や磁石等が使用できるがこれに限定するものではない。白い部材６ａは目玉を連想しやすい白色が好ましいが、これに限定するものではなく、例えば盤面と同色で明度も同等な部材とすれば、違和感なく長針を見えなくすることができる。
【００２４】
ここで、瞳部材６は、黒色のものが望ましく、目玉らしい眼状模様１５とすることができる。また、瞳を連想させるような円形であることが望ましい。また、瞳部材６の色彩や形状はこれらに限定するものではなく、星形等の他の形状を用いるなどして子供の注意を引く工夫をすることができる。
【００２５】
図４は、眼部表示手段１１を構成するアイホール部材９を示す斜視図である。アイホール部材９は、文字盤２から水平に突設される水平方向面９ａとこれに略直角に備えられている垂直方向面９ｂとを構成しており断面Ｌ字状の形状をなしている。垂直方向面９ｂの中央には貫通孔１０と長円模様１２とが設けられている。アイホール部材９は文字盤２上に着脱可能に設けられており、粘着剤により接着されても良く、文字盤上に図示しない凹部を設けて水平方向面９ａが嵌合しても良い。アイホール部材９の素材は限定するものではなく、木製，金属製，プラスチック製等のものを使用できる。また、長円模様１２は貫通孔１０よりも大きく、お互いに重ならないようにしている。また、アイホール部材９の色を盤面と同色で明度も同等な部材とすれば、違和感を少なくすることができる。
【００２６】
ここで、長円模様１２の形状は長円に限定するものではなく楕円や真円でも良い。また、長円模様１２上に睫毛に似せた細かい線を描くことにより、アニメキャラクターのような眼状模様とすることができ、子供の注意を引く工夫をすることができる。
【００２７】
また、貫通孔１０の大きさは瞳部材６よりも少し大きい程度とすることが望ましく、貫通孔１０からは瞳部材６を見ることができれば良い。また貫通孔１０は空洞としているが、透明なガラス板，プラスチック板，ビニル等により塞がれる透光部を形成しても良い。また、透光部は無色透明に限定するものではなく、例えば色彩のある透明な部材を用いても良い。このことにより子供が眼状模様１５に飽きることを防止することができる。
【００２８】
図５は、アイホール部材９とアイホール部材９の貫通孔１０上に設けられたプリズム３を示す斜視図である。瞳部材６が貫通孔１０を通過する時に、アイホール部材９上の長円模様１２と瞳部材６とにより一つの眼状模様１５が形成され、更にプリズム３により一対の眼状模様１５として遠くにいる人に見せることができる。プリズム３をアイホール部材９へ設ける方法は、糊やテープ等の簡易な接着剤を使用することができ、着脱も容易とすることができる。ここで、プリズム３を設けることは自由であり、プリズム３がなくても、一つの貫通孔１０と一つの瞳部材６とから一つの眼状模様１５のみを形成することができる。
【００２９】
図６は、図５の別の実施の形態を示す斜視図である。アイホール部材は図５と同一であるため説明を省略する。図６のプリズム２３は五角柱であることを示しており、プリズム２３を五角柱とすることで、例えば家の形状とすることも可能であり装飾等を施すことにより子供の注意を引くことができる。また、プリズムの形状はこれに限定するものではなく、多角柱形状や平面状等の他の形状とすることもできる。また光学的屈折手段として例えば眼状模様１５を拡大して見せることのできるレンズでも良い。更に、プリズム２３の周りにキャラクターの顔に似せた装飾をしても良く、子供はキャラクターの目が動いているように見ることができ、更なる注意を引くことも可能である。
【００３０】
次に、図７〜１０に基づいて、本発明の実施形態である時計の瞳部材６の動く過程と眼状模様１５を形成する過程とを説明する。図７（ａ）は長針４が０分の直前を示す眼部表示手段１１の平面図であり、（ｂ）はその時の眼状模様１５を示す正面図である。図８（ａ）は長針４が０分を示す眼部表示手段１１の平面図であり、（ｂ）はその時の眼状模様１５を示す正面図である。図９（ａ）は長針４が０分直後を示す眼部表示手段１１の平面図であり、（ｂ）はその時の眼状模様１５を示す正面図である。図１０は長針４が０分よりも少し経過した時を示す眼部表示手段１１の平面図であり、（ｂ）はその時の眼状模様１５を示す正面図である。
【００３１】
図７の（ａ）においては、文字盤２にアイホール部材９が設けられており、このアイホール部材９の貫通孔上にプリズムを３が設けられている。長針４の先端部付近に設けられている瞳部材６が、文字盤２とプリズム３との間にある。この時、長針は０分の直前であるため、瞳部材６はプリズム３の中心よりも左側に位置している。この時、瞳部材６はアイホール部材９の貫通孔１０の左寄りの位置で重なり、長円模様１２と瞳部材６とにより左寄りの眼状模様１５が形成される。眼状模様１５はプリズム３の屈折点１８により屈折し、一対の眼状模様１５を形成する。符号１７は時計を見る人の目に映る眼状模様１５の像を示しており、時計を見る人の目１６からは図７（ｂ）のように目玉が左寄りの状態で見ることができる。
【００３２】
同様に図８〜１０について説明する。図８（ａ）においては、長針４が０分を示しており、瞳部材６は貫通孔１０の中心位置で重なり、眼状模様１５はプリズム３により一対の眼状模様１５が形成されて、時計を見る人の目１６からは図８（ｂ）のように目玉が真正面に向いているように見ることができる。
【００３３】
図９（ａ）においては、長針４が０分直後を示しており、瞳部材６は貫通孔１０の右よりの位置で重なり、眼状模様１５はプリズム３により一対の眼状模様１５が形成されて、時計を見る人の目１６からは図９（ｂ）のように目玉が右寄りの状態で見ることができる。
【００３４】
図１０（ａ）においては、長針４が０分を少し経過した時を示しており、瞳部材６は貫通孔１０で重ならないか、重なっても右寄り過ぎてプリズム３により眼状模様１５が形成されず、時計を見る人の目１６からは図１０（ｂ）のように目玉が無い状態で見えることとなる。
【００３５】
以上のように、予め設定された時刻の前後である２〜３分の間に瞳部材６の動きに連動して眼状模様１５が現れ、その間眼状模様１５は長針の動きに合わせて動く。この一連の動きにより、子供には眼状模様があたかも人間の目玉がゆっくり動いているかのように見えるため、注意を引き付けることができる。
【００３６】
次に、図１１は本発明の第２の実施形態である時計１０１を示す。本実施形態の時計１０１では、眼部表示手段１１１を、文字盤１０２上の中心寄りに設けている。この場合、長針１０４の中央部付近等に瞳部材を設けることにより、長針１０４が文字盤１０２とプリズム１０３との間を通過する時に、眼状模様１１５は文字盤１０２の中心寄りに表示される。また、アイホール部材１０９の垂直方向面はプリズム１０３を備えられるように長めに設けておく。このことにより、文字盤１０２上の文字を覆うなどして隠すことなく眼部表示手段１１１を構成することができる。従って、子供は眼状模様１１５に注意を引きながら長針１０４が指している時刻を認知することができる。
【００３７】
図１２は本発明の第３の実施形態である時計２０１を示す図である。図１（ａ）において眼状模様１５の位置が異なることを除けば、他の部材の機能は図１（ａ）と同じである。図１２では、文字盤２０２上には「６」の文字を覆うなどして文字が表示されておらず、アイホール部材２０９が設けてある。このアイホール部材２０９にはプリズム２０３が備えられ、長針２０４の先端部付近に瞳部材が設けられ、長針２０４は文字盤２０２とアイホール部材２０９との間に位置しており、眼状模様２１５を形成している。またアイホール部材２０９は、長針２０４または短針２０５が動くことができる文字盤２０２上においては任意の位置に着脱可能に設けることができ、容易に眼状模様２１５を形成することができる。
【００３８】
さらに、時刻はこれに限定するものではなく、任意の時刻において時刻を設定することができる。長針２０４と同様に短針２０５に瞳部材を設ければ、例えば、おやつの時間として３時の場合や、夕食の時間として６時の場合等、子供の注意を引かせたい時刻において眼状模様２１５を形成することができる。このことは子供の教育に有効である。
【００３９】
ここで、これまで文字盤上にアイホール部材９，１０９，２０９を設けていることを説明したが、透明カバーが文字盤を覆うような時計の場合には、透明カバーの内側または外側にアイホール部材とプリズムを設けて、長針または短針に設けられた瞳部材と重なる構造とすることにより眼部表示手段を構成することができる。このように眼部表示手段を構成することが可能な位置であれば、アイホール部材とプリズムが設けられる位置は文字盤上に限定されるものではない。
【００４０】
更に、眼状模様を表示することができれば他の眼部表示手段でも良く、例えば電光掲示板方式を用いることもできる。このことにより、予め定められた時刻になると目玉模様を表示できる。目玉模様は丸い瞳状のものみ限らず、喜怒哀楽を表現するような眼状模様とすることができる。また、設定時刻ごとに眼状模様を変えることもでき、目玉の動きを変えることもできるため、子供が楽しみながら時刻を視認することができる。
【産業上の利用可能性】
【００４１】
本発明の時計は、幼稚園や家庭等において、文字（数字）が読めずに時計を理解できない子供でも予め設定された時刻の到来を知ることができる時計として広く利用することができる。
【図面の簡単な説明】
【００４２】
【図１】（ａ）は本発明の第１の実施の形態の時計を示す正面図、（ｂ）は本発明の第１の実施の形態の時計を示す左側面図、（ｃ）は本発明の第１の実施の形態の時計を示す平面図である。
【図２】図１（ａ）のプリズムを除去したときの状態を示す図である。
【図３】図２の長針の先端部付近の拡大図である。
【図４】眼部表示手段を構成するアイホール部材を示す斜視図である。
【図５】アイホール部材とアイホール部材の貫通孔上に設けられたプリズムを示す斜視図である。
【図６】図５の別の実施の形態を示す斜視図である。
【図７】眼状模様の変化を示す図である。
【図８】眼状模様の変化を示す図である。
【図９】眼状模様の変化を示す図である。
【図１０】眼状模様の変化を示す図である。
【図１１】本発明の第２の実施形態である時計を示す正面図である。
【図１２】本発明の第３の実施形態である時計を示す正面図である。
【符号の説明】
【００４３】
１，１０１，２０１  時計
２，１０２，２０２  文字盤
３，２３，１０３，２０３  プリズム
４，１０４，２０４  長針
５，２０５  短針
６  瞳部材
６ａ  白い部材
７  ムーブメント
８  指針軸
９，１０９，２０９  アイホール部材
９ａ  水平方向面
９ｂ  垂直方向面
１０  貫通孔
１１，１１１  眼部表示手段
１２  長円模様
１５，１１５，２１５  眼状模様
１６  時計を見る人の目
１７  時計を見る人の目に映る眼状模様の像
１８  屈折点
【図１】
2006010649.tif 000003
【図２】
2006010649.tif 000004
【図３】
2006010649.tif 000005
【図４】
2006010649.tif 000006
【図５】
2006010649.tif 000007
【図６】
2006010649.tif 000008
【図７】
2006010649.tif 000009
【図８】
2006010649.tif 000010
【図９】
2006010649.tif 000011
【図１０】
2006010649.tif 000012
【図１１】
2006010649.tif 000013
【図１２】
2006010649.tif 000014